(57)【要約】      （修正有）【課題】厚手の払拭体であっても、それほど大きな力を必要とせずに迅速かつ確実に払拭体ホルダーに装着したり離脱させたりすることができるだけでなく、装着後の洗車作業中に払拭体が払拭体ホルダーから脱落したり位置ずれしたりするという事態が生じにくい払拭体ホルダーを提供する。【解決手段】持ち柄１１に連結したヘッド１０と、ヘッドに設けた払拭体受け面と、払拭体の端部を払拭体受け面と協働して挟圧保持する押圧部４４を有するクランプ体４０と、を備える。ヘッドに設けた凹入部３０の平坦な底面が払拭体受け面となる。クランプ体の一端は軸受部１３に横軸を介して取り付けられ、閉姿勢と開姿勢との間で横軸周りに開閉揺動可能である。また、クランプ体を閉姿勢に保持するロック機構５０を備える。【選択図】図１
0003217186.tif 000002
【実用新案登録請求の範囲】
【請求項１】
持ち柄と、その持ち柄の先端部に連結された矩形板状のヘッドと、このヘッドに設けられて柔軟な素材でなる面状の払拭体の端部が重ね合わされる払拭体受け面と、上記払拭体の端部を上記払拭体受け面と協働して挟圧保持する押圧部を有するクランプ体と、を備えたモップの払拭体ホルダーであって、
上記ヘッドに、膨出部によって囲まれた略矩形の凹入部が設けられ、この凹入部の平坦な底面が上記払拭体受け面として形成され、上記ヘッドに設けられた軸受部に、上記クランプ体の一端部が、上記払拭体の端部を上記払拭体受け面と上記押圧部とによって挟圧保持する閉姿勢とこの閉姿勢から退避した開姿勢との間で横軸周りに開閉揺動可能に取り付けられていると共に、このクランプ体を上記閉姿勢に保持するロック機構を備えていることを特徴とするモップの払拭体ホルダー。
【請求項２】
上記凹入部が上記ヘッドの縦方向両側の２箇所に振り分けて設けられ、上記クランプ体が上記ヘッドの横方向両側の２箇所に配備されていると共に、それぞれのクランプ体の自由端部側の２箇所に、上記ヘッドの縦方向両側の２箇所に振り分けて設けられた上記凹入部に各別に対応する上記押圧部がそれぞれ設けられている請求項１に記載したモップの払拭体ホルダー。
【請求項３】
上記ヘッドの縦方向両側の２箇所に振り分けて設けられたそれぞれの上記凹入部が、それらの凹入部の横方向中央部を縦通する上記膨出部によって横方向に並ぶ第１及び第２の２つの凹入部に分割され、
上記クランプ体が上記ヘッドの横方向両側の２箇所に配備され、ヘッドの横方向片側に設けられた上記クランプ体の自由端部側の２箇所に、ヘッドの横方向片側２箇所に位置している上記第１の凹入部に各別に対応する上記押圧部がそれぞれ設けられ、ヘッドの横方向他側に設けられた上記クランプ体の自由端部側の２箇所に、ヘッドの横方向他側２箇所に位置している上記第２の凹入部に各別に対応する上記押圧部がそれぞれ設けられている請求項２に記載したモップの払拭体ホルダー。
【請求項４】
上記軸受部に取り付けられた閉姿勢での上記クランプ体の一端部の外側面が、上記凹入部のコーナーを形成している上記膨出部の入り隅部に対峙するように構成され、かつ、その外側面に傾斜した第１傾斜面を具備させることによって開姿勢でのクランプ体の上記外側面と上記入り隅部との対向間隔が拡げられている請求項１ないし請求項３のいずれか１項に記載したモップの払拭体ホルダー。
【請求項５】
上記軸受部に取り付けられた閉姿勢での上記クランプ体の一端部の下面が、上記膨出部に形成された盗み凹部の上面に対峙するように構成され、かつ、その下面が傾斜した第２傾斜面として形成されていることによって閉姿勢でのクランプ体の上記下面と上記盗み凹部の上面との対向間隔が拡げられている請求項１ないし請求項４のいずれか１項に記載したモップの払拭体ホルダー。
【請求項６】
上記ロック機構が、上記クランプ体に連設されている樹脂ばねに具備された係合突起と、ヘッド側に設けられて、上記クランプ体が開姿勢から閉姿勢に向けて揺動されたときに上記係合突起が上記樹脂ばねの付勢に抗して乗り越えて係合する係合片部と、上記係合突起を上記樹脂ばねの付勢に抗して後退させて上記係合片部との係合を解除させるために上記樹脂ばねに設けられた指掛け片とを有し、
上記樹脂ばねの付勢に抗して後退して上記係合片部との係合が解除された上記係合突起が上記係合片部を乗り越える際に上記指掛け片に加えられる押圧方向が、上記クランプ体が閉姿勢から開姿勢に向けて揺動される方向に沿う方向に一致するように、上記指掛け片が上記樹脂ばねに設けられている請求項１ないし請求項５のいずれか１項に記載したモップの払拭体ホルダー。
【請求項７】
上記持ち柄が上記ヘッドとの連結部を中心として起倒可能であり、かつ、その傾き角度を変更可能である請求項１ないし請求項６のいずれか１項に記載したモップの払拭体ホルダー。
【考案の詳細な説明】
【技術分野】
【０００１】
本考案は、モップの払拭体ホルダー、特に洗車などに使用される厚手面状の払拭体を装着するのに適したモップの払拭体ホルダーに関する。
【背景技術】
【０００２】
洗車用の払拭体には綿布、紙、樹脂発泡体でなるスポンジ、といった各種の素材が使われ、それらの中でも、厚手のスポンジ製の払拭体、特にＰＶＡ素材を用いた厚手のスポンジ製の払拭体は、吸水・保水性に優れるだけでなく、湿潤状態で車体などのコーティング面を傷付けにくい柔軟性や低摩擦性を発揮することなどから、車体の洗浄や付着水分の拭き取りなどに適しているとされている。また、払拭体を用いる洗車作業では、払拭体を作業者が直持ちして洗車することも多いが、払拭体を持ち柄を備えたモップの払拭体ホルダーに装着し、作業者はそのモップの持ち柄を手で持って洗車することも行われる。
【０００３】
従来より、フローリング払拭体に関して、柄の先端の払拭板に交換可能に不織布製の払拭シートを装着するための構成が提案されていた（たとえば、特許文献１参照）。この特許文献１によって提案されているフローリング払拭体では、払拭板に、その全幅に亘る長い凹部が設けられ、この凹部に嵌脱可能な長い固定部を有する固定部材が軸受部を介して取り付けられている。そして、払拭板の下面を覆うように配備した払拭シートの端部を折返して上記凹部を覆わせ、そのように凹部を覆わせた払拭シートの端部を、上記凹部とその凹部に嵌着した上記固定部とにより挟持させることによって、払拭シートを払拭板に装着するようになっている。また、この特許文献１には、上記払拭シートにポリエステル繊維が用いられる旨の記述があり、その払拭シートの厚さが比較的薄いポリエステル繊維でなることを推測させる図面が開示されている。
【先行技術文献】
【特許文献】
【０００４】
【特許文献１】実用新案登録第３１１８０７０号公報（図２、図７、００１８）
【考案の概要】
【考案が解決しようとする課題】
【０００５】
そこで、本願考案者は、特許文献１で開示されているような薄肉の払拭シートの装着構造（以下、「先行例」という。）を、本願考案に係るモップの払拭体ホルダーの使用対象である厚手面状の払拭体に適用することの可否について検討を重ねたところ、以下に説明するような不都合を生じることが知見された。
【０００６】
すなわち、先行例と同様に払拭板の凹部とその凹部に嵌着した固定部とによって厚手の面状の払拭体の端部を挟持させることができたとしても、長さの長い固定部を長さの長い凹部に嵌着させる作業が面倒で、しかも比較的大きな力が必要になるという問題のあることが知見された。
【０００７】
本考案は、以上の状況に鑑みてなされたものであり、厚手面状の払拭体、特に厚さが１０ｍｍ程度のＰＶＡ素材を用いた厚手面状の払拭体であっても、それほど大きな力を必要とせずに迅速かつ確実に払拭体ホルダーに装着したり離脱させたりすることができるだけでなく、装着後の洗車作業中に払拭体が払拭体ホルダーから脱落したり位置ずれしたりするという事態が生じにくいモップの払拭体ホルダーを提供することを目的としている。
【課題を解決するための手段】
【０００８】
本考案に係るモップの払拭体ホルダーは、持ち柄と、その持ち柄の先端部に連結された矩形板状のヘッドと、このヘッドに設けられて柔軟な素材でなる面状の払拭体の端部が重ね合わされる払拭体受け面と、上記払拭体の端部を上記払拭体受け面と協働して挟圧保持する押圧部を有するクランプ体と、を備えている。そして、上記ヘッドに、膨出部によって囲まれた略矩形の凹入部が設けられ、この凹入部の平坦な底面が上記払拭体受け面として形成され、上記ヘッドに設けられた軸受部に、上記クランプ体の一端部が、上記払拭体の端部を上記払拭体受け面と上記押圧部とによって挟圧保持する閉姿勢とこの閉姿勢から退避した開姿勢との間で横軸周りに開閉揺動可能に取り付けられていると共に、このクランプ体を上記閉姿勢に保持するロック機構を備えている。
【０００９】
この構成を備えたモップの払拭体ホルダーによると、凹入部の底面によって形成されている払拭体受け面とクランプ体の押圧部とによって払拭体の端部が挟持されることにより払拭体がヘッドに装着される。そして、払拭体の端部を払拭体受け面とクランプ体の押圧部とによって挟持させるときには、払拭体受け面の上に払拭体の端部を配備した後に、開姿勢のクランプ体を押し倒して閉姿勢にするだけでよいので、そのような挟持させる操作を小さな力で行うことが可能である。また、持ち柄を手で掴んで払拭体を装着した払拭体ホルダーを取り扱うことができるので、洗車を楽に行うことが可能である。
【００１０】
本考案では、上記凹入部が上記ヘッドの縦方向両側の２箇所に振り分けて設けられ、上記クランプ体が上記ヘッドの横方向両側の２箇所に配備されていると共に、それぞれのクランプ体の自由端部側の２箇所に、上記ヘッドの縦方向両側の２箇所に振り分けて設けられた上記凹入部に各別に対応する上記押圧部がそれぞれ設けられている、という構成を採用することが可能である。この構成であると、ヘッドの下面を覆って配備された払拭体の一端部と他端部とを、ヘッドの横方向両側の２箇所に配備されているクランプ体の押圧部と２箇所の凹入部の底面である払拭体受け面とによって確実に挟持させることが可能になる。
【００１１】
本考案では、上記ヘッドの縦方向両側の２箇所に振り分けて設けられたそれぞれの上記凹入部が、それらの凹入部の横方向中央部を縦通する上記膨出部によって横方向に並ぶ第１及び第２の２つの凹入部に分割され、上記クランプ体が上記ヘッドの横方向両側の２箇所に配備され、ヘッドの横方向片側に設けられた上記クランプ体の自由端部側の２箇所に、ヘッドの横方向片側２箇所に位置している上記第１の凹入部に各別に対応する上記押圧部がそれぞれ設けられ、ヘッドの横方向他側に設けられた上記クランプ体の自由端部側の２箇所に、ヘッドの横方向他側２箇所に位置している上記第２の凹入部に各別に対応する上記押圧部がそれぞれ設けられている、という構成を採用することが可能である。この構成によっても、クランプ体の押圧部と凹入部の底面である払拭体受け面とによって払拭体の端部を確実に挟持させることが可能になる。
【００１２】
本考案では、上記軸受部に取り付けられた閉姿勢での上記クランプ体の一端部の外側面が、上記凹入部のコーナーを形成している上記膨出部の入り隅部に対峙するように構成され、かつ、その外側面に傾斜した第１傾斜面を具備させることによって開姿勢でのクランプ体の上記外側面と上記入り隅部との対向間隔が拡げられている、という構成を採用することが可能である。この構成であると、開姿勢でのクランプ体の外側面と膨出部の入り隅部との拡げられた対向間隔を利用することにより、ヘッドの下面を覆って配備された払拭体の折り返された端部を、払拭体受け面の上に挿入しやすくなる。
【００１３】
本考案では、上記軸受部に取り付けられた閉姿勢での上記クランプ体の一端部の下面が、上記膨出部に形成された盗み凹部の上面に対峙するように構成され、かつ、その下面が傾斜した第２傾斜面として形成されていることによって閉姿勢でのクランプ体の上記下面と上記盗み凹部の上面との対向間隔が拡げられている、という構成を採用することが可能である。この構成であると、閉姿勢でのクランプ体の下面と膨出部の盗み凹部の上面との対向間隔が拡げられていることにより、払拭体受け面とクランプ体の押圧部とによって挟持された払拭体が、クランプ体の下面と膨出部の盗み凹部の上面との拡げられた対向間隔に無理なく配備される。
【００１４】
本考案では、上記ロック機構が、上記クランプ体に連設されている樹脂ばねに具備された係合突起と、ヘッド側に設けられて、上記クランプ体が開姿勢から閉姿勢に向けて揺動されたときに上記係合突起が上記樹脂ばねの付勢に抗して乗り越えて係合する係合片部と、上記係合突起を上記樹脂ばねの付勢に抗して後退させて上記係合片部との係合を解除させるために上記樹脂ばねに設けられた指掛け片とを有し、上記樹脂ばねの付勢に抗して後退して上記係合片部との係合が解除された上記係合突起が上記係合片部を乗り越える際に上記指掛け片に加えられる押圧方向が、上記クランプ体が閉姿勢から開姿勢に向けて揺動される方向に沿う方向に一致するように、上記指掛け片が上記樹脂ばねに設けられている、という構成を採用することが望ましい。この構成を採用すると、指掛け片を押圧して係合突起と係合片との係合を解除するのに伴って、クランプ体が閉姿勢から開姿勢に向けて揺動されるようになるので、払拭体受け面とクランプ体の押圧部とによる払拭体の挟持状態も自動的に解除されるようになる。その結果、払拭体をヘッドから取り外すときの操作性が向上する。
【００１５】
本考案では、上記持ち柄が上記ヘッドとの連結部を中心として起倒可能であり、かつ、その傾き角度を変更可能である、という構成を採用することが望ましい。この構成を採用しておくと、持ち柄の傾き角度を調節してヘッドの姿勢を変更することができるので、作業車にとっては、洗浄面、たとえば自動車の車体表面の傾きに応じて、作業が容易になるようにヘッドの姿勢を変更することのできる利便性が得られる。
【考案の効果】
【００１６】
以上説明したように、本考案に係るモップの払拭体ホルダーによれば、スポンジ製の厚手面状の払拭体であっても、それほど大きな力を必要とせずに迅速かつ確実に払拭体ホルダーに装着したり離脱させたりすることができるだけでなく、装着後の洗車作業中に払拭体が払拭体ホルダーから脱落したり位置ずれしたりするという事態が生じにくくなるという効果が奏される。また、持ち柄の傾き角度を調節してヘッドの姿勢を変更することができるので、洗浄面、たとえば自動車の車体表面の傾きに応じて、作業が容易になるようにヘッドの姿勢を変更することのできる利便性が得られる。
【図面の簡単な説明】
【００１７】
【図１】本考案の実施形態に係るモップの払拭体ホルダーを概略で示した外観斜視図である。
【図２】図１の払拭体ホルダーの概略平面図である。
【図３】図１の払拭体ホルダーを図２とは異なる態様で示した概略平面図である。
【図４】ロック機構の断面図である。
【図５】払拭体装着手順初期段階の平面図である。
【図６】払拭体装着手順実施後の平面図である。
【図７】開き角度が略９０度の開姿勢のクランプ体の説明図である。
【図８】隙間が拡がる対策を講じた場合の作用を示した説明図である。
【図９】隙間が拡がる対策を講じた場合の作用を示した説明図である。
【図１０】他の実施形態に係る払拭体ホルダーの平面図である。
【図１１Ａ】持ち柄とヘッドとの連結部の構造を示した説明図である。
【図１１Ｂ】持ち柄とヘッドとの連結部の構造を、図１１Ａとは異なる状態で示した説明図である。
【考案を実施するための形態】
【００１８】
図１は本考案の実施形態に係るモップの払拭体ホルダー（以下、単に「ホルダー」という。）を概略で示した外観斜視図、図２は図１のホルダーの概略平面図、図３は図１のホルダーを図２とは異なる態様で示した概略平面図である。
【００１９】
図１、図２及び図３において、符号Ｈは横方向、符号Ｖは縦方向を示している。図１のように、このホルダーは、竿形の持ち柄１１の先端部に連結されたヘッド１０を有する。ヘッド１０は横方向Ｈに長く縦方向Ｖに短い平面視矩形板状に形成されていて、持ち柄１１との連結部１２がそのヘッド１０の中央部に設けられている。持ち柄１１はヘッド１０との連結部１２を中心として起倒可能であり、その傾き角度を自由に又は多段階に変更可能である（この点については後述する。）また、持ち柄１１には、別の竿体を連結することが可能で、そうすることによって持ち柄１１を長く延長した状態で使用することが可能である。
【００２０】
図２又は図３のように、ヘッド１０には膨出部２０が備わっている。この膨出部２０は、ヘッド１０の外周縁に沿う矩形枠部２１と、ヘッド１０の縦方向Ｖの中央部で横方向Ｈに延びる幅狭の横行部２２と、ヘッド１０の横方向Ｈの中央部で縦方向Ｖに延びる幅広の縦通部２３と、からなる。そして、ヘッド１０の４箇所には、上記した矩形枠部２１と横行部２２と縦通部２３とによって囲まれた横長で略矩形の凹入部３０が形成されている。
【００２１】
図１〜図３のように、ヘッド１０の２箇所に軸受部１３，１３が突出状に設けられている。これらの軸受部１３，１３は、上記した膨出部２０の横行部２２の両端部に設けられていて、ヘッド１０の縦方向Ｖの中央部に位置している。そして、それら２箇所の軸受部１３，１３のそれぞれに、同一形状の２つのクランプ体４０，４０のそれぞれの一端部が、横軸４１，４１（図２参照）を介して、その横軸周りに開閉揺動可能に取り付けられている。クランプ体４０は、二股形状に形成された２つのアーム部４２，４２を有している。そして、図３に示されているように、それぞれのアーム部４２の自由端部側に設けられた壁部４３のＬ字形の下端面に凹凸状の歯部を有する押圧部４４が形成されている。ヘッド１０の２箇所にそれぞれ配備されている２つのクランプ体４０，４０のうち、片側のクランプ体４０が有している２つのアーム部４２，４２の上記した２つの押圧部４４，４４は、ヘッド１０の横方向片側でヘッド１０の縦方向両側の２箇所に振り分けて設けられた２つの凹入部３０，３０に各別に対応している。これに対し、横方向他側のクランプ体４０が有している２つのアーム部４２，４２の上記した２つの押圧部４４，４４は、ヘッド１０の横方向他側でヘッド１０の縦方向両側の２箇所に振り分けて設けられた２つの凹入部３０，３０に各別に対応している。ここで、図２又は図３に示したように、ヘッド１０の横方向片側の２つの凹入部３０，３０を第１の凹入部３１，３１とし、ヘッド１０の横方向他側の２つの凹入部３０，３０を第２の凹入部３２，３２とすると、ヘッド１０の横方向片側に設けられたクランプ体４０の自由端部側の２つの押圧部４４，４４が、ヘッド１０の横方向片側２箇所に位置している第１の凹入部３１，３１に各別に対応し、ヘッド１０の横方向他側に設けられたクランプ体４０の自由端部側の２つの押圧部４４，４４が、ヘッド１０の横方向他側２箇所に位置している第２の凹入部３２，３２に各別に対応していることになる。
【００２２】
図３に示したように、第１及び第２の各凹入部３１，３２の略矩形の平坦な底面は払拭体受け面３５として形成されている。また、クランプ体４０は、図１や図２に示した閉姿勢では、払拭体（後述する）の端部を上記払拭体受け面３５と押圧部４４とによって挟圧保持する機能を発揮する。また、クランプ体４０は、図１や図２に示した閉姿勢から退避されることによって開姿勢になる。したがって、クランプ体４０の開姿勢には、図３に示した左側のクランプ体４０のように、閉姿勢から略１８０度の開き角度に開揺動されたときの姿勢や、同図に示した右側のクランプ体４０のように、閉姿勢から略９０度の開き角度に開揺動されたときの姿勢が含まれる。さらに、図２に示されているように、ヘッド１０の横方向片側に設けられたクランプ体４０が閉姿勢のときには、２つのアーム部４２，４２が第１凹入部３１，３１に嵌り込み、それらのアーム部３１，３１の外側面や前端面とそれらの周囲の第１凹入部３１，３１の壁面（膨出部２０）との間に、厚手の払拭体（不図示）を収容し得るだけの空間Ｐが形成されるようになっている。ヘッド１０の横方向他側に設けられたクランプ体４０が閉姿勢のときにも同様である。
【００２３】
次に、このホルダーは、図２又は図３に示したように、２つのクランプ体４０，４０ごとに、それらのクランプ体４０，４０を閉姿勢に保持するロック機構５０，５０を備えている。図４はロック機構５０の断面図である。このロック機構５０は、クランプ体４０の２つのアーム部４２，４２の相互間空間に配備されてそのクランプ体４０に連設されているＵ字形の樹脂ばね５１に具備された係合突起５２と、クランプ体４０が開姿勢から閉姿勢に向けて揺動されたときに係合突起５２が樹脂ばね５１の付勢に抗して乗り越えて係合する係合片部５３と、係合突起５２を樹脂ばね５１の付勢に抗して後退させて係合片部５３との係合を解除させるために樹脂ばね５１に設けられた指掛け片５４とを有し、係合片部５３がヘッド１０側に設けられている。そして、このロック機構５０では、指掛け片５４に指を引っ掛けて図４の矢印ａのように樹脂ばね５１の付勢に抗して引っ張ると、係合片部５３に係合していた係合突起５２が後退して係合片部５３から外れる。こうして係合突起５２と係合片部５３との係合を解除させた後、指掛け片５４を同図の矢印ｂのように引っ張ると、クランプ体４０が閉姿勢から開姿勢になるように横軸４１の周りで開揺動する。この場合、係合突起５２を係合片部５３から離脱させるときの指掛け片５４の引っ張り操作とクランプ体４０を閉姿勢から開姿勢になるように揺動させるときの指掛け片５４の引っ張り操作とは連続操作として行われる。その際に、係合片部５３との係合が解除された係合突起５２が係合片部５３を乗り越える際に指掛け片５４に加えられる押圧方向（上記引っ張り方向ｂ）が、クランプ体４０が閉姿勢から開姿勢に向けて揺動される方向に沿う方向に一致しているので上記の連続操作が円滑に行われる。
【００２４】
次に図５及び図６を参照してヘッド１０にスポンジ製の厚手面状の払拭体１００を装着する手順を説明する。図５は払拭体装着手順初期段階の平面図、図６は払拭体装着手順実施後の平面図である。
【００２５】
図５に仮想線で示した展開状態の矩形の払拭体１００の中央にヘッド１０を載置すると共に、クランプ体４０，４０を開姿勢にしておく。そして、同図に実線で示したように、払拭体１００の縦方向の一側及び他側の各端部１１０，１１０をヘッド１０の上に折り返すことによって、それらの各端部１１０，１１０をヘッド１０の凹入部３０…の上に被せる。次に、開姿勢のクランプ体４０，４０を押し込んで閉姿勢に向けて閉揺動させる。このようにすると、図４に実線で示したようにロック機構５０の係合突起５２が樹脂ばね５１の付勢に抗して係合片部５３を乗り越えてその係合片部５３に係合する。併せて、図６のように、払拭体１００の各端部１１０，１１０が、４箇所で、クランプ体４０の押圧部４４（図５参照）と払拭体受け面３５との協働によって挟圧保持される。払拭体１００を取り外すなどの必要が生じたときには、ロック機構５０の係合突起５２と係合片部５３との係合を解除し、図４矢印ｃのように指掛け片５４を引き上げることによってクランプ体４０を開揺動させる。こうすると、払拭体１００の端部１１０，１１０に対するクランプ体４０の押圧部４４と払拭体受け面３５との協働による挟圧保持が解除されるので、払拭体１００をヘッド１０から取り外すことができる。
【００２６】
図６に示されている払拭体１００は、その横幅がヘッド１０の横幅よりも長くなっていて、装着状態では、払拭体１００の横幅方向の両端部がヘッド１０の横方向両側に突き出ている。こうしておくと、洗車作業中には、ヘッド１０の端部が払拭体１００によって覆われるので、ヘッド１０が車体に直接当たって車体を傷付けるといった事態が起こらない。
【００２７】
ところで、この実施形態では、閉姿勢でのクランプ体４０の一端部の外側面が、凹入部３０のコーナーを形成している膨出部２０の入り隅部２５（図２又は図３参照）に対峙するように構成されている。そのため、払拭体１００の端部１１０を折り返してヘッド１０の凹入部３０の上に被せるときには、その端部１１０をクランプ体４０のアーム部４２の一端部とヘッド１０の膨出部２０との隙間Ｓ（図２又は図３参照）に挿入することが必要になる。しかしながら、厚さが１０ｍｍ程度のスポンジ製の払拭体１００を使用するときには、上記隙間Ｓが狭くなっているために、その隙間Ｓに払拭体１００の端部１１０を挿入しにくくなるという事態の起こることが懸念され、そのような事態が起こると、払拭体１００に時間がかかり、装着が煩わしくなるということが考えられる。
【００２８】
そこで、この実施形態では、次に説明する構成を採用することによって上記隙間Ｓが拡がるような対策を講じている。図７は開き角度が略９０度の開姿勢のクランプ体４０の説明図、図８及び図９は隙間Ｓが拡がる対策を講じた場合の作用を示した説明図である。
【００２９】
図７に示したように、クランプ体４０の外側面、言い換えるとアーム部４２の外側面に傾斜した第１傾斜面４５を具備させている。また、図１に一部拡大して示したように、閉姿勢でのクランプ体４０の一端部の下面が傾斜した第２傾斜面４６として形成されていて、その第２傾斜面４６が膨出部２０の矩形枠部２１に形成された盗み凹部２６の上面に対峙するように構成されている。これらの対策を講じておくと、開き角度が略９０度の開姿勢のクランプ体４０を示した図８や開き角度が略１８０度の開姿勢のクランプ体４０を示した図９のように、開姿勢でのクランプ体４０のアーム部４２の外側面と入り隅部２５との対向間隔が拡がり、それだけ、隙間Ｓが広くなって払拭体１００の端部１１０を隙間Ｓに矢印ｄのように挿入しやすくなる。 また、閉姿勢でのクランプ体の下面（第２傾斜面４６）と膨出部２０の矩形枠部２１の盗み凹部２６の上面との対向間隔が拡げられていることにより、払拭体受け面３５とクランプ体４０の押圧部４４とによって挟持された払拭体１００が、クランプ体４０の第２傾斜面４６と上記盗み凹部２６の上面との拡げられた対向間隔に無理なく配備されることになる。
【００３０】
以上の説明において、図３及び図５では、２つのクランプ体４０，４０のうち、片側のクランプ体４０については、略１８０度の開き角度に開いたときの開姿勢を示し、他側のクランプ体４０については、略９０度の開き角度に開いたときの開姿勢を示している。また、図１〜図９においては同一部分に同一符号を付すことによって、個々の要素の説明の重複を回避している。
【００３１】
図１０は他の実施形態に係るホルダーを示した平面図である。同図のホルダーでは、ヘッド１０の縦方向Ｖの両側の２箇所に振り分けて設けられた凹入部３０，３０のそれぞれが、ヘッド１０横方向Ｈの略全長に亘る長さを有している、という点で、図１〜図９を参照して説明したホルダーとは相違している。その他の事項は、図１〜図９を参照して説明したホルダーと同様である。このものによっても、図１〜図９を参照して説明したホルダーと同様の作用が奏されることは明らかである。
【００３２】
図１〜図９を参照して説明したホルダーの第１凹入部３１及び第２凹入部３２と図１０に示した横長の凹入部３０とを対比すると、前者の第１凹入部３１及び第２凹入部３２は、後者の横長の凹入部３０を、その横方向中央部を縦断する膨出部２０の縦通部２３によって横方向に並ぶ第１及び第２の２つの凹入部３１，３２に分割したものに相当している。
【００３３】
図１０では、図１〜図９に示した部分と同一部分に同一符号を付すことによって、個々の要素の説明の重複を回避した。
【００３４】
図１１Ａ及び図１１Ｂは持ち柄とヘッドとの連結部１２の構造を示した説明図である。この事例は、持ち柄１１の傾き角度を多段階に変更可能な構造を示している。同図に示した連結部１２は、ヘッド１０に立ち上げられた軸受け７１と持ち柄１１側の取付け部７２とにそれぞれ同一径の内歯７３ａ，７３ｂ，７４ａ，７４ｂを具備させているのに対し、それらの軸受け７１と取付け部７２とを貫通する軸体７５に外歯７６ａ，７６ｂを具備するスリーブ７０ａ，７０ｂが外挿させてあり、軸体７５とスリーブ７０ａ，７０ｂとをばね７７によって一方向に常時付勢させている。また、軸体７５に外挿されているスリーブ７０ａ，７０ｂには、それぞれ鍔型のストッパ７８ａ，７８ｂが設けられている。そして、図１１Ａのように、ばね７７によって付勢された軸体７５及びスリーブ７０ａ，７０ｂが後退し、ストッパ７８ａ，７８ｂが軸受７５に当接している状態では、軸体７５に外挿されているスリーブ７０ａ，７０ｂの外歯７６ａ，７６ｂが、軸受け７１側の内歯７３ａ，７３ｂと取付部７２側の内歯７４ａ，７４ｂとの両方に噛み合っている。この状態では、持ち柄１が一定の傾き角度を保つ。これに対して、図１１Ｂの矢印Ｐのように、軸体７５及びスリーブ７０ａ，７０ｂをばね７７の付勢に抗して押し込むことによって、軸体７５に外挿されているスリーブ７０ａ，７０ｂの外歯７６ａ，７６ｂを取付け部７２側の内歯７４ａと軸受け７１側の内歯７３ｂから離脱させると、取付け部７２と軸受７５との連結が解除されるので、持ち柄１１の傾き角度を自由に変更することができる。
【符号の説明】
【００３５】
１０  ヘッド
１１  持ち柄
１２  連結部
１３  軸受部
２３  膨出部の縦通部
２５  膨出部（矩形枠部）の入り隅部
２６  盗み凹部
３０  凹入部
３１  第１の凹入部
３２  第２の凹入部
３５  払拭体受け面
４０  クランプ体
４４  押圧部
４５  第１傾斜面
４６  第２傾斜面
５０  ロック機構
５１  樹脂ばね
５２  係合突起
５３  係合片部
５４  指掛け片
１００  払拭体
１１０  払拭体の端部
Ｓ  隙間（クランプ体の第１傾斜面と入り隅部との対向間隔）
【図１】
0003217186.tif 000003
【図２】
0003217186.tif 000004
【図３】
0003217186.tif 000005
【図４】
0003217186.tif 000006
【図５】
0003217186.tif 000007
【図６】
0003217186.tif 000008
【図７】
0003217186.tif 000009
【図８】
0003217186.tif 000010
【図９】
0003217186.tif 000011
【図１０】
0003217186.tif 000012
【図１１Ａ】
0003217186.tif 000013
【図１１Ｂ】
0003217186.tif 000014